(57)【特許請求の範囲】
【請求項１】
建物開口部に設けられる下枠の一部を覆う樹脂製のカバー部材であって、
前記下枠の屋内側にて内装材に固定される下枠固定片の上面を覆うカバー部と、このカバー部の屋内側に連続するとともに前記内装材に固定される固定部とを備え、
前記カバー部には、前記下枠固定片の上面に当接する当接部が形成され、
前記固定部には、前記下枠固定片の上面または前記内装材の上面に載置されるか、あるいは別体のベース部材を介して前記内装材の上面に載置される載置部が形成され、この載置部は、前記当接部よりも屋内側にて上方に凹んだ載置凹部を有して形成されているカバー部材。
【請求項２】
前記載置部は、下方に突出するとともに前記ベース部材と係合可能な載置凸部を有して形成され、前記載置凹部は、前記載置凸部の屋内側および屋外側に隣り合って一対で設けられ、
前記載置凸部は、その底面が前記当接部と略同一高さ位置に設けられ、前記ベース部材を用いない場合には、当該載置凸部の底面が前記下枠固定片の上面または前記内装材の上面に載置可能に構成され、
前記載置凹部は、前記ベース部材を前記載置凸部に係合させて用いる場合には、前記載置凸部および載置凹部の少なくとも一方の底面が当該ベース部材を介して前記内装材の上面に載置可能に構成されている請求項１に記載のカバー部材。
【請求項３】
前記固定部には、前記載置部よりも屋内側にて下方に突出する屋内カバー部が形成され、この屋内カバー部は、前記ベース部材を用いない場合には、前記下枠固定片の屋内側端面または前記内装材の上面に当接可能に構成され、前記ベース部材を用いる場合には、当該ベース部材の上面または屋内側端面に当接可能に構成され、
前記一対の載置凹部のうち、屋内側の載置凹部は、弾性変形した前記屋内カバー部を受け入れ可能に構成されている請求項２に記載のカバー部材。
【請求項４】
前記一対の載置凹部は、前記下枠固定片の屋内側端縁から上方に立ち上がる下枠立上片を受け入れ可能に構成されている請求項２または請求項３に記載のカバー部材。
【請求項５】
建物開口部に設けられる下枠の一部を覆う樹脂製のカバー部材であって、
前記下枠の屋内側にて内装材に固定される下枠固定片の上面を覆うカバー部と、このカバー部の屋内側に連続するとともに前記内装材に固定される固定部とを備え、
前記カバー部には、前記下枠固定片の上面に当接する当接部と、当該カバー部の上面を構成するとともに屋外側に下がり勾配を有する傾斜面部と、この傾斜面部の屋外側に連続するとともに前記下枠固定片から立ち下がる下枠立下片の上端を覆う先端カバー部とが形成され、
前記固定部には、前記傾斜面部の屋内側端部に連続して当該傾斜面部から立ち上がる立上面部が形成されているカバー部材。
【請求項６】
前記先端カバー部は、前記傾斜面部よりも大きな下がり勾配を有するとともに弾性変形可能な軟質樹脂から形成されている請求項５に記載のカバー部材。
【請求項７】
前記カバー部には、前記下枠固定片の上面に対向しかつ上方に凹んで形成されるとともに、当該カバー部の弾性変形によって平坦状に変形して前記下枠固定片の上面に密接可能な凹状底面部が設けられ、この凹状底面部の屋内側部分および屋外側部分によって前記当接部が構成されている請求項１から請求項６のいずれかに記載のカバー部材。
【請求項８】
前記凹状底面部の屋外側の当接部は、下向き凸な断面を有して軟質樹脂から形成される弾性凸部で構成されている請求項７に記載のカバー部材。
【請求項９】
建物開口部に設けられるとともに下枠を有する窓枠と、前記下枠の屋内側にて内装材に固定される下枠固定片の上面を覆う請求項１から請求項８のいずれかに記載のカバー部材とを備えた建具。
【発明の詳細な説明】
【技術分野】
【０００１】
本発明は、カバー部材および建具に係り、詳しくは、建物開口部に設けられる窓枠のうちの下枠の一部を覆う樹脂製のカバー部材、このカバー部材を備えた建具に関する。
【背景技術】
【０００２】
従来、アルミ形材等の金属製枠材を有した窓枠において、屋内空間に露出する枠材表面の結露を防止するための防露材が提案されている（例えば、特許文献１参照）。
特許文献１に記載の防露材は、合成樹脂等からなる帯状体と、この帯状体を枠材に接着する接着剤層とで構成され、枠材のうち建物躯体や内装材等に固定される屋内側固定片（アングル）の見込み面（下枠の場合、上面）および屋内側端面を覆って取り付けられている。
【先行技術文献】
【特許文献】
【０００３】
【特許文献１】実開昭５７−１４０５８９号公報
【発明の概要】
【発明が解決しようとする課題】
【０００４】
しかしながら、特許文献１に記載されたような従来の防露材のようなカバー部材は、屋内側固定片の見込み方向幅寸法や形状に合わせて形成されているため、幅寸法や形状が異なる屋内側固定片に対しては取り付けることが難しい。すなわち、新設の建具であれば屋内側固定片ごとにカバー部材を準備しておくことも可能であるものの、既設の建具では、様々な寸法や形状の屋内側固定片が存在することから、各種の建具に対応したカバー部材を準備するとなると、部品点数が膨大になり製造コストが増加することとなる。
【０００５】
本発明の目的は、各種の建具に対応して取付可能で結露の発生を抑制することができるカバー部材および建具を提供することにある。
【課題を解決するための手段】
【０００６】
本発明のカバー部材は、建物開口部に設けられる下枠の一部を覆う樹脂製のカバー部材であって、前記下枠の屋内側にて内装材に固定される下枠固定片の上面を覆うカバー部と、このカバー部の屋内側に連続するとともに前記内装材に固定される固定部とを備え、前記カバー部には、前記下枠固定片の上面に当接する当接部が形成され、前記固定部には、前記下枠固定片の上面または前記内装材の上面に載置されるか、あるいは別体のベース部材を介して前記内装材の上面に載置される載置部が形成され、この載置部は、前記当接部よりも屋内側にて上方に凹んだ載置凹部を有して形成されていることを特徴とする。
【０００７】
以上の本発明によれば、固定部に設けた載置部を下枠固定片や内装材の上面に載置するか、あるいはベース部材を介して内装材の上面に載置することで、下枠固定片の形状や寸法が異なる各種の下枠に対してカバー部材を取付可能とすることができる。従って、新設の窓に限らず、既設の窓に対して後付けでカバー部材を取り付ける場合であっても、ベース部材を使用するか使用しないかを選択したり、載置部の載置位置を選択したりすることで、単一のカバー部材における取付形態の選択幅を拡げることができる。
【０００８】
この際、本発明のカバー部材では、前記載置部は、下方に突出するとともに前記ベース部材と係合可能な載置凸部を有して形成され、前記載置凹部は、前記載置凸部の屋内側および屋外側に隣り合って一対で設けられ、前記載置凸部は、その底面が前記当接部と略同一高さ位置に設けられ、前記ベース部材を用いない場合には、当該載置凸部の底面が前記下枠固定片の上面または前記内装材の上面に載置可能に構成され、前記載置凹部は、前記ベース部材を前記載置凸部に係合させて用いる場合には、前記載置凸部および載置凹部の少なくとも一方の底面が当該ベース部材を介して前記内装材の上面に載置可能に構成されていることが好ましい。
このような構成によれば、載置凸部の底面を当接部と略同一高さ位置に設けておき、この載置凸部を下枠固定片や内装材の上面に載置するか、あるいは載置凸部に係合させたベース部材を介して内装材の上面に載置することで、カバー部材の固定状態を確保することができる。
【０００９】
また、本発明のカバー部材では、前記固定部には、前記載置部よりも屋内側にて下方に突出する屋内カバー部が形成され、この屋内カバー部は、前記ベース部材を用いない場合には、前記下枠固定片の屋内側端面または前記内装材の上面に当接可能に構成され、前記ベース部材を用いる場合には、当該ベース部材の上面または屋内側端面に当接可能に構成され、前記一対の載置凹部のうち、屋内側の載置凹部は、弾性変形した前記屋内カバー部を受け入れ可能に構成されていることが好ましい。
このような構成によれば、屋内カバー部を下枠固定片の屋内側端面や内装材の上面に当接させるか、あるいはベース部材の上面または屋内側端面に当接させることで、各種の取付形態において、屋内カバー部と下枠固定片や内装材、ベース部材との隙間が形成されないようにでき、カバー部材の屋内側における結露水の浸入を確実に防止することができる。また、水蒸気量の高い室内空気が下枠固定片に直接触れることを防止することができ、下枠固定片での結露発生を防止することができる。
【００１０】
さらに、本発明のカバー部材では、前記一対の載置凹部は、前記下枠固定片の屋内側端縁から上方に立ち上がる下枠立上片を受け入れ可能に構成されていることが好ましい。
このような構成によれば、下枠固定片に下枠立上片が形成された下枠にカバー部材を取り付ける場合であっても、下枠立上片を載置凹部で受け入れることで、下枠立上片に対応した加工をカバー部材に施したり別形態のカバー部材を用意したりする必要がなく、下枠立上片を有さない下枠と同一形態のカバー部材を用いることができる。
【００１１】
また、本発明のカバー部材は、建物開口部に設けられる下枠の一部を覆う樹脂製のカバー部材であって、前記下枠の屋内側にて内装材に固定される下枠固定片の上面を覆うカバー部と、このカバー部の屋内側に連続するとともに前記内装材に固定される固定部とを備え、前記カバー部には、前記下枠固定片の上面に当接する当接部と、当該カバー部の上面を構成するとともに屋外側に下がり勾配を有する傾斜面部と、この傾斜面部の屋外側に連続するとともに前記下枠固定片から立ち下がる下枠立下片の上端を覆う先端カバー部とが形成され、前記固定部には、前記傾斜面部の屋内側端部に連続して当該傾斜面部から立ち上がる立上面部が形成されていることを特徴とする。
【００１２】
以上の本発明によれば、カバー部材がカバー部と固定部とを備え、カバー部に屋外側に下がり勾配を有する傾斜面部が形成され、固定部に傾斜面部から立ち上がる立上面部が形成されているので、カバー部に落下した結露水等を傾斜面部によって屋外側に流して排水するとともに、立上面部によって屋内側への流入を防止することができる。また、傾斜面部の屋外側に連続して先端カバー部を形成し、下枠固定片から立ち下がる下枠立下片の上端を先端カバー部で覆うことで、屋外側に流れた結露水等が下枠とカバー部材との間に浸入することを防止しつつ、下枠立下片よりも屋外側の下枠底面等へ確実に排水することができる。
【００１３】
この際、本発明のカバー部材では、前記先端カバー部は、前記傾斜面部よりも大きな下がり勾配を有するとともに弾性変形可能な軟質樹脂から形成されていることが好ましい。
このような構成によれば、先端カバー部を下枠立下片の上端に確実に当接させて隙間ができないようにでき、結露水の浸入を防止することができる。
【００１４】
また、本発明のカバー部材では、前記カバー部には、前記下枠固定片の上面に対向しかつ上方に凹んで形成されるとともに、当該カバー部の弾性変形によって平坦状に変形して前記下枠固定片の上面に密接可能な凹状底面部が設けられ、この凹状底面部の屋内側部分および屋外側部分によって前記当接部が構成されていることが好ましい。
このような構成によれば、カバー部に凹状底面部を形成し、この凹状底面部を平坦状に変形させつつ下枠固定片の上面に当接させることで、凹状底面部の屋内側および屋外側の当接部と下枠固定片の上面とを確実に密接させることができる。従って、万一、先端カバー部の位置から下枠との間に水が浸入した場合でも、さらに屋内側への浸入を防止することができる。
【００１５】
この際、本発明のカバー部材では、前記凹状底面部の屋外側の当接部は、下向き凸な断面を有して軟質樹脂から形成される弾性凸部で構成されていることが好ましい。
このような構成によれば、凹状底面部の屋外側の当接部を軟質樹脂からなる弾性凸部とすることで、この弾性凸部と下枠固定片の上面との密接性を高めることができ、カバー部材と下枠との間への水の浸入をさらに確実に防止することができる。
【００１６】
一方、本発明の建具は、建物開口部に設けられるとともに下枠を有する窓枠と、前記下枠の屋内側にて内装材に固定される下枠固定片の上面を覆う前記いずれかのカバー部材とを備えたことを特徴とする。
【００１７】
ここで、本発明の建具としては、窓枠に支持される適宜な面材（障子）を備え、面材としては、引違い形式や片引き形式、開き形式など各種の開閉形式で支持されたものでもよいし、開閉不能な嵌め殺し形式で支持されたものでもよい。
このような本発明の建具によれば、前述したカバー部材と同様の効果を奏することができ、すなわち、カバー部材で覆った下枠固定片における結露が抑制できるとともに、縦枠や面材等からカバー部材に落下した結露水を屋外側に排水して、カバー部材と下枠との間への水の浸入や屋内側の内装材位置への水の浸入を確実に防止することができる。
【図面の簡単な説明】
【００１８】
【図１】本発明の第１実施形態に係る建具の一部を示す縦断面図である。
【図２】前記建具の下枠部分を拡大して示す縦断面図である。
【図３】前記下枠に設けられるカバー部材を示す断面図である。
【図４】前記カバー部材の取付形態例を示す断面図である。
【図５】前記カバー部材の取付形態例を示す断面図である。
【図６】本発明の第２実施形態に係る建具の下枠部分を示す縦断面図である。
【図７】前記下枠に設けられるカバー部材を示す断面図である。
【発明を実施するための形態】
【００１９】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００２０】
〔第１実施形態〕
図１において、本実施形態に係る建具としての引違い窓１は、建物開口部に設置される窓枠２と、この窓枠２に開閉自在に支持される室内外一対の障子３，４とを備え、窓枠２は、図示しない建物躯体に固定されるとともに、開口部の屋内部分を構成する内装材に固定されている。窓枠２は、それぞれアルミ形材製の上枠（不図示）、下枠５および左右の縦枠６を四周枠組みして構成されている。下枠５は、障子３，４を案内する内外のレール５Ａ，５Ｂを有する下枠本体５１と、この下枠本体５１の屋内側に固定されるとともに内装材としての額縁（窓台）７に固定されるアングル材５２とを備えて構成されている。下枠本体５１は、その屋内側端部にて上下に延びる見付け片部（下枠立下片）５３と、この見付け片部５３と屋内側のレール５Ａとを連結する下枠底面部５４とを有し、これらの見付け片部５３、レール５Ａおよび下枠底面部５４によって上方に開口した下枠溝部５５が形成されている。この下枠溝部５５には、その内部に入った結露水等を屋外側に排水するための図示しない排水口が形成されている。
【００２１】
アングル材５２は、見付け片部５３の屋内側にビス止め固定される鉛直片部５６と、この鉛直片部５６の上端から屋内側に延びて額縁７に固定される固定片部（下枠固定片）５７とを有して断面略Ｌ字形に形成されている。固定片部５７には、下方に突出して額縁７の上面に当接する２本の突条片５８と、屋内側端縁の突条片５８と連続して当該固定片部５７よりも上方に突出する立上片（下枠立上片）５９とが形成されている。このようなアングル材５２は、２本の突条片５８の中間にて固定片部５７を貫通するビスによって額縁７に固定されている。また、アングル材５２の固定片部５７は、樹脂製のカバー部材１０で覆われ、屋内空間に露出しないようになっており、冬期などにおけるアングル材５２表面の結露発生が抑制できるようになっている。
【００２２】
カバー部材１０は、図２、図３にも示すように、カバー部材本体１０Ａとベース部材１０Ｂと固定ビス１０Ｃとを備えて構成され、下枠５の長手方向（紙面奥行き方向）全長に渡って取り付けられている。カバー部材１０の長手方向両端部には、図示しないシール材が設けられ、シール材を介して縦枠６のアングル部６Ａ（図１参照）に密接されている。カバー部材本体１０Ａは、半硬質（硬度９０°±５°）樹脂と軟質（硬度６０°±５°）樹脂との押出二色成形によって形成され、ベース部材１０Ｂは、硬質（硬度１００°±５°）樹脂から押出成形されている。ここで、カバー部材１０を形成する樹脂材料としては、通常の熱可塑性樹脂が広く利用でき、成形性や断熱性から塩化ビニルが好適である。
【００２３】
カバー部材本体１０Ａは、アングル材５２の固定片部５７上面を覆うカバー部１１と、このカバー部１１の屋内側に連続するとともにベース部材１０Ｂおよび固定ビス１０Ｃを介して額縁７に固定される固定部１２とを備えて形成されている。カバー部１１は、固定片部５７上面と対向するとともに上方に凹んだ曲面状に形成される凹状底面部１３と、凹状底面部１３の反対側（上面側）にて屋外側に下がり勾配を有する傾斜面部１４と、この傾斜面部１４の屋外側に連続するとともに傾斜面部１４よりも大きな下がり勾配を有する先端カバー部１５とを有して形成されている。凹状底面部１３の屋内側および屋外側には、それぞれ固定片部５７の上面に当接可能な当接部としての第１当接部１６および第２当接部１７が形成されている。このカバー部１１のうち、先端カバー部１５と第２当接部１７とが軟質樹脂から形成され、他の部分が半硬質樹脂から形成されている。
【００２４】
そして、カバー部１１は、図２、図３に示すように、固定片部５７に押圧された凹状底面部１３が平坦状（フラット）になるように弾性変形し、これによって第１当接部１６が固定片部５７に当接されるとともに、下向き凸な断面を有した弾性凸部としての第２当接部１７が押しつぶされつつ固定片部５７に密接されるように構成されている。また、先端カバー部１５は、下向きに湾曲した曲面状に形成され、取付状態において、下枠５の見付け片部５３に当接して弾性変形し、この見付け片部５３の上端を覆うとともに、先端が下枠溝部５５側に若干突出して設けられるようになっている。
【００２５】
カバー部材本体１０Ａの固定部１２は、傾斜面部１４の屋内側端部に連続して立ち上がる立上面部１８と、この立上面部１８から屋内側に延びる上面部１９と、この上面部１９の屋内側端縁から立ち下がる側面部２０と、この側面部２０の下端縁に連続して下方に突出する屋内カバー部２１と、当該固定部１２の底面側にてベース部材１０Ｂを介して額縁７の上面に載置される載置部２２とが形成されている。上面部１９には、当該カバー部材本体１０Ａの長手方向に連続して固定ビス１０Ｃのビス頭を収納可能な溝部２３が形成されている。この固定部１２のうち、屋内カバー部２１が軟質樹脂から形成され、他の部分が半硬質樹脂から形成されている。この屋内カバー部２１は、側面部２０側に連続して断面略三角形状の基端部２１Ａと、この基端部２１Ａに薄肉部を介して連結された先端変形部２１Ｂとを有し、取付状態において、先端変形部２１Ｂが屋外側に折れ曲がるように弾性変形するとともに、ベース部材１０Ｂの上面に当接するように構成されている。
【００２６】
また、固定部１２の載置部２２は、下方に突出するとともにベース部材１０Ｂと係合可能な載置凸部２４と、この載置凸部２４の屋内側に隣り合う第１載置凹部２５および屋外側に隣り合う第２載置凹部２６とを有して形成されている。載置凸部２４は、第１当接部１６と略同一高さ位置に設けられる底面２４Ａと、ベース部材１０Ｂと係合可能な屋内外一対の係合ヒレ２４Ｂとを有して形成されている。第１載置凹部２５は、載置凸部２４と屋内カバー部２１との間にて上方に凹んで形成され、変形した屋内カバー部２１の先端変形部２１Ｂを受け入れ可能に構成されるとともに、載置凸部２４の底面２４Ａよりも上方に位置する底面２５Ａにベース部材１０Ｂが当接可能に構成されている。第２載置凹部２６は、載置凸部２４とカバー部１１との間にて上方に凹むとともに、載置凸部２４の底面２４Ａよりも上方に位置する段付き状の底面２６Ａ，２６Ｂを有して形成され、底面２６Ａにベース部材１０Ｂが当接可能、底面２６Ｂ側の空間にアングル材５２の立上片５９を受け入れ可能に構成されている。
【００２７】
ベース部材１０Ｂは、上方に開口した断面略コ字形で載置凸部２４と係合可能な係合部２７と、この係合部２７から屋内側に延びる延出部２８とを有して一体形成されている。係合部２７は、上方に延びて載置凸部２４の係合ヒレ２４Ｂと係合する屋内外一対の係合片２７Ａと、各係合片２７Ａに連続して下方に突出し額縁７の上面に可能な一対の突出片２７Ｂと有し、各係合片２７Ａの上端に第１および第２の載置凹部２５，２６の底面２５Ａ，２６Ａが当接可能に構成されている。延出部２８は、その屋内側端部から上下に突出する屋内見付け片２８Ａを有し、この屋内見付け片２８Ａの下端が額縁７の上面に可能に構成されている。また、屋内見付け片２８Ａは、カバー部材本体１０Ａの側面部２０と略同一見込み位置に設けられるとともに、その上端面に屋外側に下がる傾斜を有し、この傾斜で屋内カバー部２１の先端変形部２１Ｂを案内することで、先端変形部２１Ｂを延出部２８の上面側に当接させるように構成されている。
【００２８】
以上のカバー部材１０の取付手順としては、先ず、下枠５の長手方向寸法（左右の縦枠６間の距離）に合わせてカバー部材本体１０Ａおよびベース部材１０Ｂを適宜な長さに切断し、切断したカバー部材本体１０Ａの両端縁にシール材を貼り付けるとともに、載置凸部２４を係合部２７に係合させてカバー部材本体１０Ａをベース部材１０Ｂに取り付けておく。次に、第２載置凹部２６の底面２６Ｂ側の空間にアングル材５２の立上片５９を受け入れるとともに、この立上片５９にベース部材１０Ｂの屋外側側面を当接させてカバー部材１０を位置決めしてから、固定部１２の溝部２３から固定ビス１０Ｃをねじ込み、固定部１２、載置凸部２４およびベース部材１０Ｂの係合部２７を貫通させるとともに、この固定ビス１０Ｃを額縁７に螺合させる。この際、カバー部材本体１０Ａが下向きに押圧されることで、凹状底面部１３が固定片部５７に押圧されて平坦状に弾性変形し、第１および第２の当接部１６，１７が固定片部５７に密接される。また、第１および第２の載置凹部２５，２６の底面２５Ａ，２６Ａにベース部材１０Ｂの係合片２７Ａ上端が当接し、突出片２７Ｂおよび屋内見付け片２８Ａが額縁７上面に当接することで、カバー部材本体１０Ａがベース部材１０Ｂを介して額縁７に載置固定されるようになっている。
【００２９】
なお、カバー部材１０の取付手順は、上述に限らず、ベース部材１０Ｂを額縁７に仮止めしてから、このベース部材１０Ｂに対してカバー部材本体１０Ａを係合させ、その後に固定ビス１０Ｃでカバー部材本体１０Ａおよびベース部材１０Ｂを額縁７に本固定するようにしてもよい。また、固定ビス１０Ｃの本数は、下枠５の長手方向寸法に応じて適宜に設定可能であり、比較的小型の窓枠２の場合には、カバー部材１０の両端部付近と中央とで計３本の固定ビス１０Ｃで固定してもよいし、４本以上の固定ビス１０Ｃを用いてもよい。
また、本実施形態のカバー部材１０の取付形態としては、図１〜図３で説明したものに限らず、以下の図４および図５に示す取付形態を採用することが可能である。
【００３０】
図４(Ａ)〜(Ｃ)に示す取付形態では、額縁７の上面における屋外側端部に切欠き部（しゃくり）７Ａが形成されており、この切欠き部７Ａにアングル材５２の固定片部５７Ａ，５７Ｂ，５７Ｃが位置して固定されることから、その高さ位置が前述した図１〜図３の場合と相違し、ベース部材１０Ｂを用いずにカバー部材１０が取り付けられている。また、図４(Ａ)，(Ｂ)に示す固定片部５７Ａ，５７Ｂと図４(Ｃ)に示す固定片部５７Ｃとでは、その見込み方向長さが異なり、例えば、固定片部５７Ａ，５７Ｂの見込み方向長さが２０mmであるのに対し、固定片部５７Ｃの見込み方向長さが３０mmと他の場合と比較して屋内側に長く延びて形成されている。さらに、図４(Ａ)，(Ｂ)に示す固定片部５７Ａ，５７Ｂでは、互いの板厚が異なり、立上片５９との納まりが相違している。以下、図４(Ａ)〜(Ｃ)に示す取付形態をそれぞれ説明する。
【００３１】
図４(Ａ)において、カバー部材本体１０Ａは、カバー部１１で固定片部５７Ａを覆うとともに、ベース部材を介さずに固定部１２が額縁７に直接固定されている。すなわち、固定部１２における載置凸部２４の底面２４Ａが額縁７の上面に当接された状態で、固定部１２を貫通させた固定ビス１０Ｃを額縁７に螺合してカバー部材本体１０Ａが固定されている。また、屋内カバー部２１は、その先端変形部２１Ｂが額縁７の上面に当接して設けられており、屋外側に折れ曲がった先端変形部２１Ｂが第１載置凹部２５に受け入れられている。一方、固定片部５７Ａの立上片５９は、前述と同様に底面２６Ｂ側の空間に受け入れられている。
【００３２】
図４(Ｂ)において、固定片部５７Ａと板厚が異なる固定片部５７Ｂの立上片５９も底面２６Ｂ側の空間に受け入れ可能に構成され、この点以外は、図４(Ａ)の取付形態と略同様である。
【００３３】
図４(Ｃ)において、固定片部５７Ｃは、カバー部材本体１０Ａのカバー部１１よりも屋内側まで延びるとともに、立上片５９が第１載置凹部２５に受け入れられており、この固定片部５７Ｃの上面に載置凸部２４の底面２４Ａが当接されている。そして、カバー部材本体１０Ａは、固定部１２を貫通させた固定ビス１０Ｃをさらに固定片部５７Ｃに貫通させ、この固定ビス１０Ｃを額縁７に螺合して固定されている。また、屋内カバー部２１は、その先端変形部２１Ｂが額縁７の上面と固定片部５７Ｃの立上片５９とに当接して設けられている。
【００３４】
次に、図５(Ａ)〜(Ｃ)に示す取付形態は、図４(Ａ)〜(Ｃ)に示すような切欠き部７Ａが形成されない額縁７に対してカバー部材１０が取り付けられている。
図５(Ａ)に示す固定片部５７Ｂは、図４(Ｂ)のものと同一形態であり、カバー部材本体１０Ａは、ベース部材１０Ｂを介して額縁７に固定されている。また、固定片部５７Ｂの立上片５９は、ベース部材１０Ｂの底面２６Ｂ側の空間に受け入れられている。その他の構成は、前述の図１〜図３で説明したものと同様である。
図５(Ｂ)に示す固定片部５７Ｃは、図４(Ｃ)のものと同一形態であり、カバー部材本体１０Ａは、ベース部材１０Ｂを用いずに固定片部５７Ｃを介して額縁７に固定されている。また、固定片部５７Ｃの上面に載置凸部２４の底面２４Ａが当接されるとともに、固定片部５７Ｂの立上片５９は、第１載置凹部２５に受け入れられている。さらに、屋内カバー部２１は、その先端変形部２１Ｂが折れ曲がらずに下方に延びて額縁７の上面に当接して設けられている。
図５(Ｃ)において、固定片部５７Ｄは、その屋内側端部に立上片を有していない点以外は図１〜図３で説明したものと同様であり、このような固定片部５７Ｄに対しても前述した取付形態によってカバー部材１０が取付可能に構成されている。
【００３５】
このような本実施形態によれば、以下のような効果を得ることができる。
すなわち、障子３や縦枠６から落下した結露水等をカバー部材１０の傾斜面部１４によって屋外側に流して下枠溝部５５へ排水するとともに、立上面部１８によって屋内側への流入を防止することができる。さらに、カバー部材１０の第１当接部１６および第２当接部１７が固定片部５７，５７Ａ，５７Ｂ，５７Ｃ，５７Ｄの上面に当接されるとともに、先端カバー部１５が下枠５の見付け片部５３の上端を覆って設けられることで、傾斜面部１４を屋外側に流れた結露水等が下枠５とカバー部材１０との間に浸入することを防止することができる。さらに、屋内カバー部２１の先端変形部２１Ｂがベース部材１０Ｂや額縁７、固定片部５７Ｃに当接して設けられることで、カバー部材１０の屋内側においても額縁７との間への水の浸入が防止できるとともに、屋内側からの外観意匠性を向上させることができる。さらに、水蒸気量の高い室内空気が固定片部５７，５７Ａ，５７Ｂ，５７Ｃ，５７Ｄに直接触れることを防止することができ、固定片部５７，５７Ａ，５７Ｂ，５７Ｃ，５７Ｄでの結露発生を防止することができる。また、固定片部５７，５７Ａ，５７Ｂ，５７Ｃ，５７Ｄの形状が異なる各種の下枠５に対して、カバー部材１０が取付可能であることから、新設の窓に限らず、既設の窓に対して後付けでカバー部材１０を取り付けて、結露防止性能および排水性能を高めることができる。
【００３６】
〔第２実施形態〕
次に、本発明の第２実施形態に係るカバー部材３０について、図６および図７を参照して説明する。本実施形態のカバー部材３０は、前記第１実施形態と形態が相違するものの、各種形態の固定片部５７，５７Ａ，５７Ｂ，５７Ｃ，５７Ｄを有した下枠５に取付可能な点は、前記第１実施形態のカバー部材１０と同様である。以下、相違点を詳しく説明する。
カバー部材３０は、カバー部材本体３０Ａとベース部材３０Ｂと固定ビス３０Ｃとを備えて構成され、カバー部材本体３０Ａは、半硬質樹脂と軟質樹脂との押出二色成形によって形成され、ベース部材３０Ｂは、硬質樹脂から押出成形されている。
【００３７】
カバー部材本体３０Ａは、カバー部材１０と略同様のカバー部３１と固定部３２とを備えて形成されている。カバー部３１は、凹状底面部３３、傾斜面部３４、および先端カバー部３５を有し、凹状底面部３３は、屋内側の第１当接部３６および屋外側の第２当接部３７の間にて上方に凹んだ凹部３３Ａを有して形成されている。また、カバー部３１において、先端カバー部３５のみが軟質樹脂から形成され、第２当接部３７を含む他の部分が半硬質樹脂から形成されている。このようなカバー部３１は、凹部３３Ａに設けられる両面テープ３３Ｂを介して固定片部５７に接着されるとともに、第１および第２の当接部３６，３７が固定片部５７に当接し、先端カバー部３５が下枠５の見付け片部５３に当接して弾性変形しつつ見付け片部５３の上端を覆って設けられるようになっている。
【００３８】
固定部３２は、立上面部３８、上面部３９、側面部４０、屋内カバー部４１、および載置部４２を有し、屋内カバー部４１が軟質樹脂から形成され、他の部分が半硬質樹脂から形成されている。この屋内カバー部４１は、側面部４０側に連続して下方に延びるとともに下端部が屋外側に折れ曲がって形成され、ベース部材３０Ｂや額縁７に当接して弾性変形可能に構成されている。載置部４２は、ベース部材３０Ｂと係合可能な載置凸部４４と、この載置凸部４４の屋内側に隣り合う第１載置凹部４５および屋外側に隣り合う第２載置凹部４６とを有して形成されている。載置凸部４４は、第１および第２の当接部３６，３７と略同一高さ位置に設けられる底面４４Ａと、ベース部材３０Ｂと係合可能な屋内外一対の係合ヒレ４４Ｂとを有して形成されている。第１載置凹部４５は、変形した屋内カバー部４１およびベース部材３０Ｂの係合片４７Ａを受け入れ可能に構成され、第２載置凹部４６は、アングル材５２の立上片５９およびベース部材３０Ｂの係合片４７Ａを受け入れ可能に構成されている。
【００３９】
ベース部材３０Ｂは、載置凸部４４と係合可能な係合部４７と、屋内側に延びる延出部４８とを有し、その下面がフラットに形成されて額縁７の上面に当接可能に構成されている。係合部４７には、係合ヒレ４４Ｂと係合する屋内外一対の係合片４７Ａが形成され、各係合片４７Ａの上端に第１および第２の載置凹部４５，４６が当接して載置可能に構成されている。延出部２８の屋内側端縁は、カバー部材本体３０Ａの側面部４０と略同一見込み位置に設けられるとともに、この延出部２８の上面に屋内カバー部４１が当接可能に構成されている。
以上のカバー部材３０の取付手順としては、前記カバー部材１０と略同様であり、適宜な長さに切断したカバー部材本体３０Ａとベース部材３０Ｂとを係合させてから、下枠５の適宜な位置に合わせつつ両面テープ３３Ｂを固定片部５７に接着してカバー部材本体３０Ａおよびベース部材３０Ｂを仮止めし、その後、固定ビス３０Ｃを固定部３２、載置凸部４４およびベース部材３０Ｂに貫通させて額縁７に螺合する。
以上の本実施形態によっても、前記実施形態と略同様の効果、すなわち結露防止性能および排水性能が高められるという効果を奏することができる。
【００４０】
なお、本発明は、前記実施形態に限定されるものではなく、本発明の目的が達成できる他の構成等を含み、以下に示すような変形等も本発明に含まれる。
例えば、前記実施形態においては、建具として引違い窓１を例示したが、本発明の建具は、引違い窓１に限定されるものではなく、適宜な開閉形式を有した窓であってもよいし、開閉不能な嵌め殺し窓であってもよい。面材の開閉形式としては、例えば、片引き窓や開き窓、外倒し窓、上げ下げ窓、縦または横の辷出し窓、上げ下げ窓などが例示できる。さらに、本発明の建具は、前記引違い窓１などを外窓として、その屋内側に内窓を有した二重窓であってもよく、例えば、前記額縁７などの内装材に内窓が固定される後付けの内窓が例示できる。このような後付けの内窓を設ける場合であっても、本発明のカバー部材を用いることで、内窓とカバー部材との干渉を避けつつ、内窓およびカバー部材ともに良好な取付手順で確実に取り付けて、二重窓の結露防止性能および排水性能を高めることができる。
【００４１】
また、前記実施形態では、カバー部材１０，３０の固定部１２，３２が固定される内装材として額縁７を例示したが、内装材としては、床材であってもよいし、内壁の一部であってもよく、建物の開口部の形態に応じてカバー部材の固定対象を適宜選択すればよい。
また、前記実施形態の下枠５では、下枠本体５１とアングル材５２とが別体で構成され、アングル材５２に固定片部（下枠固定片）５７が形成されていたが、これに限らず、下枠固定片を一体に有した下枠であってもよい。
また、前記実施形態では、カバー部材１０，３０を半硬質樹脂と軟質樹脂との押出二色成形や硬質樹脂の押出成形で製造するものとしたが、カバー部材の製造方法や、樹脂の硬度や樹種などは特に限定されるものではなく、適宜に選択可能である。
【００４２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００４３】
１…引違い窓（建具）、２…窓枠、５…下枠、７…額縁（内装材）、１０，３０…カバー部材、１０Ａ，３０Ａ…カバー部材本体、１０Ｂ，３０Ｂ…ベース部材、１１，３１…カバー部、１２，３２…固定部、１３，３３…凹状底面部、１４，３４…傾斜面部、１５，３５…先端カバー部、１６，３６…第１当接部、１７，３７…第２当接部、１８，３８…立上面部、１９，３９…上面部、２０，４０…側面部、２１，４１…屋内カバー部、２２，４２…載置部、２４，４４…載置凸部、２４Ａ，４４Ａ…底面、２５，４５…第１載置凹部、２６，４６…第２載置凹部、５３…見付け片部（下枠立下片）、５７，５７Ａ，５７Ｂ，５７Ｃ，５７Ｄ…固定片部（下枠固定片）、５９…立上片（下枠立上片）。
【図１】
0005433602.tif 000002
【図２】
0005433602.tif 000003
【図３】
0005433602.tif 000004
【図４】
0005433602.tif 000005
【図５】
0005433602.tif 000006
【図６】
0005433602.tif 000007
【図７】
0005433602.tif 000008